(57)【特許請求の範囲】
【請求項１】
互いに離間して平行に傾斜して延びる２枚の屋根フレーム上に上下に連続して配置される複数のパネルと、各パネルを上記屋根フレームに取り付けるための上部及び下部取付手段とより成り、
上記パネルは四辺形の底板と、この底板の両側から上方に直角に折り曲げ突設した袖片と、この袖片の上面から水平方向外向に折れ曲がる水平受け片と、上記底板の裏面から垂直に突設した垂直受け片と、上記底板の上辺から上方に直角に折り曲げ突設した上辺垂直片と、この上辺垂直片から水平方向に上流側に延びる上辺水平片と、この上辺水平片の上縁から直角に下方に折れ曲がる垂下片と、この垂下片の両端部に形成した係合孔とより成り、
上記上部取付手段は上記屋根フレームに締付け固定される基部と、この基部から上方に延びるＴ字杆と、上記パネルの係合孔に挿入されるよう上記Ｔ字杆の両端に上下方向に突設形成した係合ピンとより成り、
上記下部取付手段は上記屋根フレームに締付け固定される基部と、この基部から下方に延びるＴ字杆とより成り、上記Ｔ字杆の突出部が上記パネルの垂直受け片を支持することを特徴とする傾斜側壁の囲い装置。
【請求項２】
互いに離間して平行に傾斜、湾曲して延びる２枚の屋根フレーム上に湾曲部分を除いて上下に連続して配置される複数の大パネルと、湾曲部分に上下に連続して配置される複数の小パネルと、これら各パネルを上記屋根フレームに取り付けるための上部及び下部取付手段とより成り、
上記パネルは四辺形の底板と、この底板の両側から上方に直角に折り曲げ突設した袖片と、この袖片の上面から水平方向外方に折れ曲がる水平受け片と、上記底板の裏面から垂直に突設した垂直受け片と、上記底板の上辺から上方に直角に折り曲げ突設した上辺垂直片と、この上辺垂直片から水平方向に上流側に延びる上辺水平片と、この上辺水平片の上縁から直角に下方に折れ曲がる垂下片と、この垂下片の両端部に形成した係合孔とより成り、
上記上部取付手段は上記屋根フレームに締付け固定される基部と、この基部から上方に延びるＴ字杆と、上記パネルの係合孔に挿入されるよう上記Ｔ字杆の両端に上下方向に突設形成した係合ピンとより成り、
上記下部取付手段は上記屋根フレームに締付け固定される基部と、この基部から下方に延びるＴ字杆とより成り、上記Ｔ字杆の突出部が上記パネルの垂直受け片を支持することを特徴とする傾斜湾曲側壁の囲い装置。
【発明の詳細な説明】
【技術分野】
【０００１】
本発明は傾斜湾曲側壁の囲い装置、特に、パネルの取り付け、取り外しが容易な傾斜湾曲側壁の囲い装置に関するものである。
【背景技術】
【０００２】
仮設建築物の骨組パイプに波形板をクランプ部材によって固定するようにした仮設建築用囲い装置は特許文献１として知られている。
【特許文献１】特開平１１−１６６３１９号
【発明の開示】
【発明が解決しようとする課題】
【０００３】
然しながら屋根や周囲に囲い板を張設するようにした従来の囲い装置においては連続した長尺の囲い板を用いるものであり、傾斜湾曲側壁の囲い装置として用いる場合にはその取付作業が極めて複雑で困難になると共に、その取付、取り外しに時間がかかる等の欠点があった。
【０００４】
本発明は上記の欠点を除くようにしたものである。
【課題を解決するための手段】
【０００５】
本発明の傾斜側壁の囲い装置は、互いに離間して平行に傾斜して延びる２枚の屋根フレーム上に上下に連続して配置される複数のパネルと、各パネルを上記屋根フレームに取り付けるための上部及び下部取付手段とより成り、上記パネルは四辺形の底板と、この底板の両側から上方に直角に折り曲げ突設した袖片と、この袖片の上面から水平方向外向に折れ曲がる水平受け片と、上記底板の裏面から垂直に突設した垂直受け片と、上記底板の上辺から上方に直角に折り曲げ突設した上辺垂直片と、この上辺垂直片から水平方向に上流側に延びる上辺水平片と、この上辺水平片の上縁から直角に下方に折れ曲がる垂下片と、この垂下片の両端部に形成した係合孔とより成り、上記上部取付手段は上記屋根フレームに締付け固定される基部と、この基部から上方に延びるＴ字杆と、上記パネルの係合孔に挿入されるよう上記Ｔ字杆の両端に上下方向に突設形成した係合ピンとより成り、上記下部取付手段は上記屋根フレームに締付け固定される基部と、この基部から下方に延びるＴ字杆とより成り、上記Ｔ字杆の突出部が上記パネルの垂直受け片を支持することを特徴とする。
【０００６】
また、本発明の傾斜湾曲側壁の囲い装置は、互いに離間して平行に傾斜、湾曲して延びる２枚の屋根フレーム上に湾曲部分を除いて上下に連続して配置される複数の大パネルと、湾曲部分に上下に連続して配置される複数の小パネルと、これら各パネルを上記屋根フレームに取り付けるための上部及び下部取付手段とより成り、上記パネルは四辺形の底板と、この底板の両側から上方に直角に折り曲げ突設した袖片と、この袖片の上面から水平方向外方に折れ曲がる水平受け片と、上記底板の裏面から垂直に突設した垂直受け片と、上記底板の上辺から上方に直角に折り曲げ突設した上辺垂直片と、この上辺垂直片から水平方向に上流側に延びる上辺水平片と、この上辺水平片の上縁から直角に下方に折れ曲がる垂下片と、この垂下片の両端部に形成した係合孔とより成り、上記上部取付手段は上記屋根フレームに締付け固定される基部と、この基部から上方に延びるＴ字杆と、上記パネルの係合孔に挿入されるよう上記Ｔ字杆の両端に上下方向に突設形成した係合ピンとより成り、上記下部取付手段は上記屋根フレームに締付け固定される基部と、この基部から下方に延びるＴ字杆とより成り、上記Ｔ字杆の突出部が上記パネルの垂直受け片を支持することを特徴とする。
【発明の効果】
【０００７】
本発明の傾斜湾曲側壁の囲い装置によれば仮設建築物の傾斜湾曲側壁に対しパネルを極めて容易に且つ簡単に取り付けることができ、また取り外しができるようになる。
【発明を実施するための最良の形態】
【０００８】
以下図面によって本発明の実施例を説明する。
【実施例１】
【０００９】
本発明においては、図１に示すように互いに離間して平行に傾斜、湾曲して延びる２枚の屋根フレーム１，１と、この屋根フレーム１，１上に湾曲部分を除いて上下に連続して配置される複数の大パネル２ａと、湾曲部分に上下に連続して配置される複数の小パネル２ｂと、これら各パネル２ａ，２ｂを上記屋根クレーム１に取り付けるための上部及び下部取付手段３，４とにより傾斜湾曲側壁の囲い装置を構成する。
【００１０】
上記大パネル２ａは図２に示すように四辺形の底板５と、この底板５の両側から上方に直角に折り曲げ突設した、上流側が高くなる略三角形の袖片６と、この袖片６の上面から水平方向外方に折れ曲がる水平受け片７と、上記底板５の裏面から垂直に突設したＬ字状の垂直受け片８と、上記底板５の上辺から上方に直角に折り曲げ突設した四角形の上辺垂直片９と、この上辺垂直片９から水平方向に上流側に延びる上辺水平片１０と、この上辺水平片１０の上縁から直角に下方に折れ曲がる垂下片１１と、この垂下片１１の両端部に形成した係合孔１２とにより構成する。
【００１１】
なお、上記垂下片１１に形成した長孔１３はパネル運搬用に形成したものである。
【００１２】
上記小パネル２ｂは上記大パネル２ａと同様の構成であるが図３に示すようにその上下方向の長さが小さい点で異なる。
【００１３】
上記上部取付手段３は図４に示すように上記屋根フレーム１に締付け固定される基部１４と、この基部１４から屋根フレーム１に沿って上方に延びるＴ字杆１５と、上記パネル２ａ、２ｂの係合孔１２に挿入されるよう上記Ｔ字杆１５の両端に上下方向に突設形成した係合ピン１６とにより構成する。
【００１４】
上記下部取付手段４は図５に示すように上記屋根フレーム１に締付け固定される基部１７と、この基部１７から屋根フレーム１に沿って下方に延びるＴ字杆１８とにより構成し、上記Ｔ字杆１８の突出部が上記パネル２ａ、２ｂの垂直受け片８に係止せしめるようにする。
【００１５】
本発明の傾斜湾曲側壁の囲い装置は上記のような構成であるからその使用に際しては先ず図６に示すように上記下部取付手段４のＴ字杆１８の突出部によって大パネル２ａの垂直受け片８を受け取ることによって大パネル２ａを上記屋根フレーム１の最下部に位置せしめる。
【００１６】
次に上記上部取付手段３の係合ピン１６を上記大パネル２ａの係合孔１２にはめ込み、この最下部の大パネル２ａを屋根フレーム１に固定せしめる。
【００１７】
次に上記大フレーム２ａの上部に小パネル２ｂを配置し、この小パネル２ｂの下流側端部を上記大パネル２ａの上辺部にスポンジ材（図示せず）を介して重ね合せ、上記小パネル２ｂの垂直受け片８を上記大パネル２ａの垂下片１１に対接して小パネル２ｂを位置決めし、上部取付手段３の係合ピン１６を上記小パネル２ｂの係合孔１２にはめ込み、この小パネル２ｂを屋根フレーム１に固定せしめる。
【００１８】
以下同様にして上記屋根フレーム１に沿ってその直線部分には大パネル２ａを、湾曲部分には小パネル２ｂを配置し、固定せしめる。
【００１９】
上記のように本発明の傾斜湾曲側壁の囲い装置によれば仮設建築物の傾斜湾曲側壁に対しパネルを極めて容易に且つ簡単に取り付けることができ、また取り外しができるようになる。
【図面の簡単な説明】
【００２０】
【図１】本発明の傾斜湾曲側壁の囲い装置の斜視図である。
【図２】図１に示す囲い装置の大パネルの斜視図である。
【図３】図１に示す囲い装置の小パネルの斜視図である。
【図４】図１に示す囲い装置の上部取付手段の平面図である。
【図５】図１に示す囲い装置の下部取付手段の平面図である。
【図６】図５に示す下部取付手段の使用状態説明図である。
【符号の説明】
【００２１】
１    屋根フレーム
２ａ  大パネル
２ｂ  小パネル
３    上部取付手段
４    下部取付手段
５    底板
６    袖片
７    水平受け片
８    Ｌ字状の垂直受け片
９    上辺垂直片
１０    上辺水平片
１１    垂下片
１２    係合孔
１３    長孔
１４    基部
１５    Ｔ字杆
１６    係合ピン
１７    基部
１８    Ｔ字杆
【図１】
0004484122.tif 000002
【図２】
0004484122.tif 000003
【図３】
0004484122.tif 000004
【図４】
0004484122.tif 000005
【図５】
0004484122.tif 000006
【図６】
0004484122.tif 000007